(57)【特許請求の範囲】
【請求項１】
第１の表紙基材、複数の冊子基材、及び、第２の表紙基材の順に積層し少なくとも一端で綴じられ、前記第１の表紙基材に剥離可能な接着層を有した冊子と、
前記第１の表紙基材と第１の折れ線部をはさんで連接した保護基材と、
前記第２の表紙基材と第２の折れ線部をはさんで連接し、片面に剥離可能な封緘接着部を有した封緘基材とを備え、
前記保護基材を前記第１の折れ線部で折り曲げ、前記接着層で前記第１の表紙基材と剥離可能に貼り合せ、
前記封緘基材を前記第２の折れ線部で折り曲げ、前記封緘接着部で前記保護基材と剥離可能に貼り合わせること、
を特徴とする冊子送付物。
【請求項２】
請求項１に記載の冊子送付物において、
前記保護基材の前記接着層と貼り合わされる面に第１の情報記載欄を備え、
前記冊子の第１の表紙基材及び前記保護基材を剥離可能に貼り合せることにより、前記第１の情報記載欄を隠蔽すること、
を特徴とする冊子送付物。
【請求項３】
請求項１又は請求項２に記載の冊子送付物において、
前記封緘基材の前記封緘接着部と同じ面に第２の情報記載欄を備え、
前記保護基材及び前記封緘基材を剥離可能に貼り合せることにより、前記第２の情報記載欄を隠蔽すること、
を特徴とする冊子送付物。
【請求項４】
請求項１から請求項３までのいずれか１項に記載の冊子送付物において、
前記封緘基材及び前記保護基材の間に同封物を挿入すること、
を特徴とする冊子送付物。
【請求項５】
請求項１から請求項４までのいずれか１項に記載の冊子送付物において、
前記冊子の第１の表紙基材及び前記保護基材の間に同封物を挿入すること、
を特徴とする冊子送付物。
【請求項６】
請求項１から請求項５までのいずれか１項に記載の冊子送付物において、
前記第１の折れ線部又は前記第２の折れ線部の少なくとも一方に分離線を備えること、
を特徴とする冊子送付物。
【請求項７】
請求項１から請求項６までのいずれか１項に記載の冊子送付物において、
前記封緘基材の前記封緘接着部と反対の面に配達先情報欄を備えること、
を特徴とする冊子送付物。
【発明の詳細な説明】
【技術分野】
【０００１】
本発明は、カタログなどの冊子を封緘し、ダイレクトメールなどの配送に好適に利用できる冊子送付物に関するものである。
【背景技術】
【０００２】
従来、カタログやパンフレットなどの冊子形状の配送は、封筒や、フィルム（ビニール袋）などで封緘された形態で行なわれてきた。近年、環境負荷を軽減する取り組みからゴミの削減が必要不可欠となり、封筒やフィルムを使用しないで冊子の小口部を簡易に封緘して送付する冊子送付物が提案、実施されている（例えば、特許文献１）。
【０００３】
図３は、従来の冊子送付物を示す図である。
従来の冊子送付物１００は、小口部の封緘を行なう封緘紙１２０を、カタログやパンフレットなどの冊子１１０の表紙１１１と接着する必要がある。表紙１１１と封緘紙１２０の接着は、配送過程での開封を防止するために、図３（Ａ）に示すような剥離不可能に接着しファスナー状のミシン目１２１などで開封する方式、又は、図３（Ｂ）に示すような表紙１１１の接着部位１１２に印刷を施さないことで接着強度を維持できる剥離可能な接着方式が用いられてきた。
上述の冊子送付物を開封したとき、前者（図３（Ａ））は、表紙１１１に封緘紙１２０の切れ端１２２が残り、後者（図３（Ｂ））は、表紙１１１の接着されていた面に印刷されていない領域（接着面１１２）が残る。そのため、カタログやパンフレットの顔ともいうべき表紙に、デザインや意匠の制約ができる。
また、冊子内部に顧客個別の挨拶文やお礼文、特定のお客様にだけの特典の記載などの個人情報を記載する場合、冊子送付物の天地が封緘されていないので、個人情報を隠蔽する機能としては不十分である。また、同様の理由で、クーポンなどを同封して送ることができない。
さらにまた、製造過程において、冊子送付の宛名及び前述の個人情報の内容（顧客の氏名など）の一致を確認することが困難であるという問題点がある。
【特許文献１】実開平０６−０７４３６５号公報
【発明の開示】
【発明が解決しようとする課題】
【０００４】
本発明の課題は、同封物を同梱でき、情報記載欄の隠蔽ができ、また、冊子の表紙を保護することができる冊子送付物を提供することである。
【課題を解決するための手段】
【０００５】
本発明は、以下のような解決手段により、前記課題を解決する。なお、理解を容易にするために、本発明の実施形態に対応する符号を括弧内に付して説明するが、これに限定されるものではない。
請求項１の発明は、第１の表紙基材（２１）、複数の冊子基材、及び、第２の表紙基材（２２）の順に積層し少なくとも一端で綴じられ、前記第１の表紙基材（２１）に剥離可能な接着層（２３）を有した冊子（２０）と、前記第１の表紙基材（２１）と第１の折れ線部（１１）をはさんで連接した保護基材（３０）と、前記第２の表紙基材（２２）と第２の折れ線部（１２）をはさんで連接し、片面に剥離可能な封緘接着部（４１）を有した封緘基材（４０）とを備え、前記保護基材（３０）を前記第１の折れ線部（１１）で折り曲げ、前記接着層（２３）で前記第１の表紙基材（２１）と剥離可能に貼り合せ、前記封緘基材（４０）を前記第２の折れ線部（１２）で折り曲げ、前記封緘接着部（４１）で前記保護基材（３０）と剥離可能に貼り合わせることを特徴とする冊子送付物（１０）である。
【０００６】
請求項２の発明は、請求項１に記載の冊子送付物（１０）において、前記保護基材（３０）の前記接着層（２３）と貼り合わされる面に第１の情報記載欄（３１）を備え、前記冊子（２０）の第１の表紙基材（２１）及び前記保護基材（３０）を剥離可能に貼り合せることにより、前記第１の情報記載欄（３１）を隠蔽することを特徴とする冊子送付物（１０）である。
【０００７】
請求項３の発明は、請求項１又は請求項２に記載の冊子送付物（１０）において、前記封緘基材（４０）の前記封緘接着部（４１）と同じ面に第２の情報記載欄（４２）を備え、前記保護基材（３０）及び前記封緘基材（４０）を剥離可能に貼り合せることにより、前記第２の情報記載欄（４２）を隠蔽することを特徴とする冊子送付物（１０）である。
【０００８】
請求項４の発明は、請求項１から請求項３に記載の冊子送付物（１０）において、前記封緘基材（４０）及び前記保護基材（３０）の間に同封物（５０）を挿入することを特徴とする冊子送付物（１０）である。
【０００９】
請求項５の発明は、請求項１から請求項４に記載の冊子送付物（１０）において、前記冊子（２０）の第１の表紙基材（２１）及び前記保護基材（３０）の間に同封物（５０）を挿入することを特徴とする冊子送付物（１０）である。
【００１０】
請求項６の発明は、請求項１から請求項５に記載の冊子送付物（１０）において、前記第１の折れ線部（１１）又は前記第２の折れ線部（１２）の少なくとも一方に分離線（１１）を備えることを特徴とする冊子送付物（１０）である。
【００１１】
請求項７の発明は、請求項１から請求項６に記載の冊子送付物（１０）において、前記封緘基材（４０）の前記封緘接着部（４１）と反対の面に配達先情報欄（３２）を備えることを特徴とする冊子送付物（１０）である。
【発明の効果】
【００１２】
以上説明したように、本発明によれば、以下のような効果がある。
（１）冊子の第１の表紙基材に保護基材を剥離可能に貼り合せるので、冊子送付物が配送されるときに第１の表紙基材が擦れて傷つくのを防止することができる。
（２）保護基材に封緘基材を封緘接着部により剥離可能に貼り合わせるので、封緘接着による冊子の第１の表紙基材の印刷範囲の制約をなくすことができる。
（３）冊子の第１の表紙基材に保護基材を剥離可能に貼り合わせるので、第１の情報記載欄を隠蔽することができる。
（４）保護基材に封緘基材を剥離可能に貼り合わせるので、第２の情報記載欄を隠蔽することができる。
（５）保護基材及び封緘基材の間に同封物を挿入するので、同封物を脱落させることなく配送することができる。
（６）冊子の第１の表紙基材及び保護基材の間に同封物を挿入するので、同封物を脱落させることなく配送することができる。
（７）第１の情報記載欄を有した保護基材、及び、第２の情報記載欄を有した封緘基材は、第１の折れ線部又は第２の折れ線部の少なくとも一方で切り離せるので、保護基材、封緘基材、及び、冊子を個別で保管することができる。
（８）第１の情報記載欄及び配達先情報欄は、連接した第１の表紙基材、第２の表紙基材、保護基材、及び、封緘基材の同一面内に構成されているので、第１の情報記載欄及び配達先情報欄の記載内容の一致を容易に確認することができる。
【発明を実施するための最良の形態】
【００１３】
本発明は、同封物を同梱でき、情報記載欄の隠蔽ができ、また、冊子の表紙を保護することができる冊子送付物を提供するという目的を、接着層を有し保護基材に連接した第１の表紙基材と保護基材とを剥離可能に貼り合わせ、また、封緘接着部を有し第２の表紙基材に連接した封緘基材と保護基材とを剥離可能に貼り合わせることによって実現する。
【実施例１】
【００１４】
以下、図面等を参照して、本発明の実施例をあげて、さらに詳しく説明する。
図１は、本発明による実施例１の冊子送付物の詳細を示す図である。
冊子送付物１０は、図１（Ａ）のように、冊子２０の表表紙２１及び保護紙３０が連接し、また、冊子２０の裏表紙２２及び封緘紙４０が連接するように構成している。
第１の分離線１１は、冊子２０及び保護紙３０の間にある折り込み及び切り取り用の線であり、例えば、ミシン目である。
第２の分離線１２は、冊子２０及び封緘紙４０の間にある折り込み及び切り取り用の線であり、例えば、ミシン目である。
冊子２０は、連接した表表紙２１及び裏表紙２２の間に、複数枚の宣伝紙をはさみ糊綴したカタログである。
表表紙２１は、表面に接着層２３を備えた表紙である。
接着層２３は、剥離可能であるが再貼付不可能な感圧接着フィルムである。
【００１５】
保護紙３０は、配達先情報欄３２を備え、反対の面に第１の個人情報記載欄３１を備える。
第１の個人情報記載欄３１は、顧客の個人情報を記載する欄であり、例えば、顧客に対する個別の挨拶文やお礼文、及び、特定のお客様に対する特典などが記載される。
配達先情報欄３２は、顧客の宛名を記載する欄である。
第１の切り欠き部３３は、保護紙３０の開封を容易にするための切り欠きである。
封緘紙４０は、片面に剥離可能であるが再貼付不可能な封緘接着部４１を備える。
【００１６】
次に、実施例１についての使用方法を説明する。
配送元は、冊子送付物１０の保護紙３０にある第１の個人情報記載欄３１に顧客個々人の宣伝及び伝達情報を記載し、配達先情報欄３２に顧客の宛名を記載する。次に、図１（Ｂ）のように、保護紙３０を第１の分離線１１で折り曲げ、接着層２３により剥離可能に表表紙２１と貼り合わせる。続いて、封緘紙４０を第２の分離線１２で折り曲げ、封緘接着部４１により剥離可能に保護紙３０と貼り合わせる。図１（Ｃ）のようになった冊子送付物１０は、第１の個人情報記載欄３１が隠蔽された状態で顧客へ配達される。
【００１７】
仮に、冊子送付物１０が顧客に届けられる前に、第１の個人情報記載欄３１が見開かれた場合、接着層２３の剥離可能であるが再貼付不可能な特性により、保護紙３０が冊子２０の表表紙２１から剥がれた状態になるため見開かれたことが容易に判明する。
また、配達中は、冊子２０の表表紙２１の全面に保護紙３０が貼り付けられているため、表表紙２１に傷がつくことはない。
冊子送付物１０を受け取った顧客は、封緘紙４０、保護紙３０の順で第１の切り欠き部３３を利用して開封し、第１の個人情報記入欄３１及び冊子２０を見る。保護紙３０及び封緘紙４０は、図１（Ｄ）のように、第１の分離線１１及び第２の分離線１２で冊子２０から切り離せるので、個別に保管することができる。
【００１８】
以上より、実施例１の冊子送付物１０には以下のような効果がある。
（１）冊子２０の表表紙２１に保護紙３０を剥離可能に貼り合わせるので、冊子送付物１０が配送されるときに表表紙２１が擦れて傷つくのを防止することができる。
（２）保護紙３０に封緘紙４０を封緘接着部４１により剥離可能に貼り合わせるので、封緘接着による冊子２０の表表紙２１の印刷範囲の制約をなくすことができる。
（３）冊子２０の表表紙２１に保護紙３０を剥離可能に貼り合わせるので、第１の個人情報記載欄３１を隠蔽することができる。
（４）保護紙３０及び封緘紙４０は、第１の折れ線部１１及び第２の折れ線部１２で冊子２０から切り離せるので、保護紙３０、封緘紙４０、及び、冊子２０を個別で保管することができる。
【実施例２】
【００１９】
図２は、本発明による実施例２の冊子送付物の詳細を示す図である。
なお、前述した実施例１と同様な機能を果たす部分には、同一の符号又は末尾に統一した符号を付して、重複する説明や図面を適宜省略する。
実施例２の冊子送付物１０−２は、図２に示すように、実施例１の冊子送付物１０と以下の点が異なる。
（１）保護紙３０は、片面に第１の個人情報記載欄３１を備える。
（２）封緘紙４０は、配達先情報欄３２を備え、反対の面に封緘接着部４１及び第２の個人情報記載欄４２を備える。
（３）封緘接着部４１は、封緘紙４０の第２の折れ線部以外の３周辺に構成された剥離可能であるが再貼付不可能な接着剤である。
（４）第２の切り欠き部４３は、封緘紙４０の開封を容易にするための切り欠きである。
（５）第２の個人情報記載欄４２は、顧客の個人情報を記載する欄であり、例えば、顧客に対する個別の挨拶文やお礼文、及び、特定のお客様に対する特典などが記載される。
（６）同封物５０は、追加の宣伝及び情報伝達用のシートであり、例えば、割引券などのクーポンである。
【００２０】
次に、実施例２についての使用方法を説明する。
配送元は、冊子送付物１０−２の保護紙３０の第１の個人情報記載欄３１及び封緘紙４０の第２の個人情報記載欄４２に、顧客個々人の宣伝及び伝達情報を記載し、配達先情報欄３２に顧客の宛名を記載する。次に、図２（Ａ）のように、保護紙３０を第１の分離線１１で折り曲げ、接着層２３により剥離可能に表表紙２１と貼り合わせ、続いて、図２（Ｂ）のように、封緘紙４０を第２の分離線１２で折り曲げ、保護紙３０との間に同封物５０を挿入して封緘接着部４１により貼り合わせる。図２（Ｃ）のようになった冊子送付物１０−２は、第１の個人情報記載欄３１及び第２の個人情報記載欄４２が隠蔽された状態で顧客へ配達される。
冊子送付物１０−２を受け取った顧客は、図２（Ｄ）のように、封緘紙４０、保護紙３０の順で第２の切り欠き部４３及び第１の切り欠き部３３を利用して開封し、第１の個人情報記入欄３１、第２の個人情報記載欄４２、同封物５０、及び、冊子２０をそれぞれ見る。必要に応じて、図２（Ｅ）のように、保護紙３０及び封緘紙４０を、第１の分離線１１及び第２の分離線１２で冊子２０から切り離して個別に保管する。
【００２１】
以上より、実施例２の冊子送付物１０−２には、前述した実施例１の効果に加え、以下のような効果がある。
（１）保護紙３０に封緘紙４０を剥離可能に貼り合わせるので、第２の個人情報記載欄４２を隠蔽することができる。
（２）保護紙３０及び封緘紙４０の間に同封物５０を挿入するので、同封物５０を脱落させることなく配送することができる。
（３）第１の個人情報記載欄３１及び配達先情報欄３２は、連接した表表紙２１、裏表紙２２、保護紙３０、及び、封緘紙４０の同一面内に構成されているので、第１の個人情報記載欄３１及び配達先情報欄３２の記載内容（顧客の氏名など）の一致を容易に確認することができる。
【００２２】
（変形例）
以上説明した実施例に限定されることなく、種々の変形や変更が可能であって、それらも本発明の均等の範囲内である。
（１）実施例１では、同封物を同梱しなかったが、保護紙３０及び表表紙２１の間に同封物５０を挿入し同梱してもよい。また、実施例２においても、保護紙３０及び表表紙２１の間に同封物５０を同梱してもよい。
（２）実施例１及び実施例２では、保護紙３０は、表表紙２１の小口部と連接しているが、表表紙２１の小口以外の端部と連接してもよい。
例えば、図４に示すような構成でも可能である。また、実施例１（図１）及び実施例２（図２）の構成では、保護紙３０を表表紙２１から剥がすという１つの動作により第１の個人情報記載欄３１が見開かれてしまうが、図４の構成では、封緘紙４０を保護紙３０から剥がし、保護紙３０を表表紙２１から剥がすという２つの動作で見開くことができるので、第１の個人情報記載欄３１の隠蔽機能がより高くなる効果がある。
（３）実施例１及び実施例２では、冊子２０のみを封緘したが、冊子２０に付属物を貼付してもよい。例えば、ＣＤ、ＤＶＤなどの記録媒体や、商品サンプルなどを付属させることも可能である。
（４）実施例１及び実施例２の冊子２０は、表表紙２１、複数枚の宣伝紙、及び、裏表紙２２を糊綴したものであるが、他の方式で綴じてもよい。例えば、針金による中綴や、糸綴でも可能である。
（５）実施例２では、同封物５０は２枚であるが、それ以外の枚数でもよい。
【図面の簡単な説明】
【００２３】
【図１】本発明による実施例１の冊子送付物を示す図である。
【図２】本発明による実施例２の冊子送付物を示す図である。
【図３】本発明による従来の冊子送付物を示す図である。
【図４】本発明による実施例１及び実施例２の変形例を示す図である。
【符号の説明】
【００２４】
１０  冊子送付物
１１  第１の分離線
１２  第２の分離線
２０  冊子
２１  表表紙
２２  裏表紙
２３  接着層
３０  保護紙
３１  第１の個人情報記載欄
３２  配達先情報欄
３３  第１の切り欠き部
４０  封緘紙
４１  封緘接着部
４２  第２の個人情報記載欄
４３  第２の切り欠き部
５０  同封物
【図１】
0004742858.tif 000002
【図２】
0004742858.tif 000003
【図３】
0004742858.tif 000004
【図４】
0004742858.tif 000005